(57)【要約】【課題】写真シール作成装置からサーバへの通信の負担を軽減する。【解決手段】本発明の一態様に係る転送サーバ（７）は、写真シール作成装置（１）から暗号化画像データと画像ＩＤとを受信する近距離無線通信部と、ネットワークを介して、復号キーと画像ＩＤとを管理サーバ（４）に送信するインターネット通信部とを備える。近距離無線通信部は、ユーザの携帯端末（６）から画像ＩＤを受信し、画像ＩＤに対応する暗号化画像データを、携帯端末（６）に送信する。【選択図】図２
2015184730.tif 000002
【特許請求の範囲】
【請求項１】
ユーザ端末および写真シール作成装置と近距離無線通信可能な転送サーバであって、
上記写真シール作成装置から、該写真シール作成装置で生成されたユーザの画像のデータまたは該データを暗号化した暗号化画像データと、上記画像を特定する画像特定情報とを受信する第１通信手段と、
上記暗号化画像データを復号するための復号キーと上記画像特定情報とを、ネットワークを介して管理サーバに送信する第２通信手段と、
上記ユーザ端末から、上記画像特定情報を受信する第３通信手段とを備え、
上記第３通信手段は、上記ユーザ端末から受信した上記画像特定情報に対応する上記暗号化画像データを、該ユーザ端末に送信することを特徴とする転送サーバ。
【請求項２】
上記第２通信手段は、上記復号キーと上記画像特定情報とを、上記ユーザが所定の会員であるかの認証を行う上記管理サーバに送信することを特徴とする請求項１に記載の転送サーバ。
【請求項３】
上記第１通信手段は、上記写真シール作成装置と直接通信を行い、
上記第３通信手段は、上記ユーザ端末と直接通信を行うことを特徴とする請求項１または２に記載の転送サーバ。
【請求項４】
上記第１通信手段が、上記写真シール作成装置から、上記ユーザの複数の上記画像として第１画像および第２画像を受信した場合、
上記第３通信手段は、上記第１画像の上記暗号化画像データを上記ユーザ端末に送信してもよい期間を第１期間とし、上記第２画像の上記暗号化画像データを上記ユーザ端末に送信してもよい期間を上記第１期間とは異なる第２期間とすることを特徴とする請求項１から３のいずれか一項に記載の転送サーバ。
【請求項５】
上記第１期間は、上記第１通信手段が上記写真シール作成装置から上記複数の上記画像を受信した日を含み、
上記第２期間は、上記受信した日より後であることを特徴とする請求項４に記載の転送サーバ。
【請求項６】
上記第１通信手段が、上記写真シール作成装置から、上記ユーザの複数の上記画像を受信した場合、
上記第３通信手段は、第３期間においては、第１個数の上記暗号化画像データを上記ユーザ端末に送信し、上記第３期間と重複しない第４期間においては、上記第１個数より多い第２個数の上記暗号化画像データを上記ユーザ端末に送信することを特徴とする請求項１から３のいずれか一項に記載の転送サーバ。
【請求項７】
上記第３通信手段は、第１および第２の上記暗号化画像データを、第１および第２の上記ユーザ端末の両方に送信する場合、
上記第１の上記ユーザ端末には、上記第１の暗号化画像データまたは上記第１の暗号化画像データを復号した上記画像のデータを上記管理サーバに送信するよう指示し、
上記第２の上記ユーザ端末には、上記第２の暗号化画像データまたは上記第２の暗号化画像データを復号した上記画像のデータを上記管理サーバに送信するよう指示することを特徴とする請求項１から３のいずれか一項に記載の転送サーバ。
【請求項８】
請求項１から７のいずれか一項に記載の転送サーバと、ネットワークを介して通信可能な管理サーバであって、
上記転送サーバから、上記復号キーと上記画像特定情報とを受信する第４通信手段と、
上記ユーザ端末から、上記画像特定情報を受信する第５通信手段とを備え、
上記第５通信手段は、上記ユーザ端末から受信した上記画像特定情報に対応する上記復号キーを、該ユーザ端末に送信することを特徴とする管理サーバ。
【請求項９】
上記ユーザが所定の会員であるかの認証を行う認証手段を備え、
上記第５通信手段は、上記ユーザが所定の会員である場合、上記復号キーを該ユーザの上記ユーザ端末に送信することを特徴とする請求項８に記載の管理サーバ。
【請求項１０】
請求項１から７のいずれか一項に記載の転送サーバおよび上記ユーザ端末と近距離無線通信可能な写真シール作成装置であって、
撮影により上記ユーザの上記画像を生成する画像生成手段と、
上記画像を特定する上記画像特定情報を生成する特定情報生成手段と、
上記画像のデータまたは上記画像のデータを暗号化した上記暗号化画像データと、上記画像特定情報とを上記転送サーバに送信する第６通信手段と、
上記画像特定情報を上記ユーザの上記ユーザ端末に送信する第７通信手段とを備えることを特徴とする写真シール作成装置。
【請求項１１】
上記画像のデータを暗号化することにより上記暗号化画像データを生成し、かつ、上記暗号化画像データを復号するための上記復号キーを生成する暗号化手段を備え、
上記第６通信手段は、上記暗号化画像データと、上記復号キーと、上記画像特定情報とを上記転送サーバに送信することを特徴とする請求項１０に記載の写真シール作成装置。
【請求項１２】
請求項１から７のいずれか一項に記載の転送サーバおよび上記写真シール作成装置と近距離無線通信可能なユーザ端末であって、
上記写真シール作成装置から、上記画像特定情報を受信する第８通信手段と、
上記画像特定情報を上記転送サーバに送信し、該画像特定情報に対応する上記暗号化画像データを上記転送サーバから受信する第９通信手段と、
上記画像特定情報をネットワークを介して上記管理サーバに送信し、該画像特定情報に対応する上記暗号化画像データを復号するための上記復号キーを上記管理サーバから受信する第１０通信手段とを備えることを特徴とするユーザ端末。
【請求項１３】
上記第１０通信手段は、上記暗号化画像データ、または上記復号キーによって復号された上記画像のデータを上記管理サーバに送信することを特徴とする請求項１２に記載のユーザ端末。
【請求項１４】
請求項１２または１３に記載のユーザ端末としてコンピュータを機能させるための制御プログラムであって、コンピュータを上記ユーザ端末の各手段として機能させるための制御プログラム。
【請求項１５】
請求項１４に記載の制御プログラムを記録したコンピュータ読み取り可能な記録媒体。
【請求項１６】
管理サーバおよび転送サーバにおける画像管理方法であって、
上記管理サーバは、ネットワークを介して上記転送サーバおよびユーザ端末と通信可能であり、
上記転送サーバは、上記ユーザ端末および写真シール作成装置と近距離無線通信可能であり、
上記転送サーバにおいて、
上記写真シール作成装置から、上記写真シール作成装置で生成されたユーザの画像のデータまたは上記画像のデータを暗号化した暗号化画像データと、上記画像を特定する画像特定情報とを受信する第１通信ステップと、
上記暗号化画像データを復号するための復号キーと上記画像特定情報とを、上記管理サーバに送信する第２通信ステップと、
上記ユーザ端末から、上記画像特定情報を受信する第３通信ステップと、
上記ユーザ端末から受信した上記画像特定情報に対応する上記暗号化画像データを、該ユーザ端末に送信する第４通信ステップと、
上記管理サーバにおいて、
上記ユーザ端末から、上記画像特定情報を受信する第５通信ステップと、
上記ユーザ端末から受信した上記画像特定情報に対応する上記復号キーを、該ユーザ端末に送信する第６通信ステップとを含むことを特徴とする画像管理方法。
【請求項１７】
写真シール作成装置から、上記写真シール作成装置で生成されたユーザの画像を特定する画像特定情報を受信する第１通信ステップと、
上記画像特定情報を、近距離無線通信によって、転送サーバに送信する第２通信ステップと、
該画像特定情報に対応する上記画像のデータを暗号化した暗号化画像データを上記転送サーバから受信する第３通信ステップと、
上記画像特定情報を、ネットワークを介して、管理サーバに送信する第４通信ステップと、
該画像特定情報に対応する上記暗号化画像データを復号するための復号キーを上記管理サーバから受信する第５通信ステップとを含むことを特徴とするユーザ端末の制御方法。
【発明の詳細な説明】
【技術分野】
【０００１】
本発明は、写真シール作成装置、管理サーバ、ユーザ端末、およびこれらと通信可能な転送サーバに関する。
【背景技術】
【０００２】
近年、写真シール作成装置において生成された画像をユーザに提供するサービスとして、画像の印刷されたプリントシールをユーザに提供するサービスと併せて、ユーザの所有する携帯端末に画像を表示させることによって画像をユーザに提供するサービスが広がってきている。
【０００３】
特許文献１には、写真シール作成装置が、複数の撮影画像のうちの一部の撮影画像を、非接触通信によりユーザの携帯端末に転送し、転送されなかった画像を含む画像を、サーバに転送する技術が記載されている。ユーザはサーバにアクセスすることで、転送されなかった画像をサーバから取得することができる。
【先行技術文献】
【特許文献】
【０００４】
【特許文献１】特開２００８−１０９５８０号公報（２００８年５月８日公開）
【発明の概要】
【発明が解決しようとする課題】
【０００５】
写真シール作成装置から、遠く離れたサーバへ画像を転送するために、例えばＰＨＳ（Personal Handyphone System）等の無線通信網を利用する必要がある。そのため、例えば転送するデータ量に応じた従量制の、無線通信網の通信料金が必要になる。それゆえ、転送する画像数が多くなると、または転送する個々の画像データのサイズが大きくなると、それだけ通信料金の負担も大きくなる。
【０００６】
また、ユーザの携帯端末への画像（データ）の提供は、写真シール作成装置から画像を受け取った管理サーバ（画像提供サイト）において行われる。ユーザは、画像提供サイトを利用するために、事前に会員登録を行う。これにより、管理サーバで会員を管理し、会員にのみ画像を提供することができる。
【０００７】
特許文献１の技術では、ユーザが会員であるか否かに関わらず選択された写真画像をユーザの携帯端末に送信する。そのため、会員・非会員に対するサービスの差別化を行うことができない。
【０００８】
一方で、会員にのみ画像を提供するために、サーバで認証したユーザに画像を提供する場合、写真シール作成装置からサーバに画像を転送する必要がある。そうすると、転送する画像に応じて写真シール作成装置からサーバへの通信の負担が必要になる。
【０００９】
本発明は、上記の課題を解決するためになされたものであり、その主たる目的は、写真シール作成装置からサーバへの通信の負担を軽減することができる、写真シール作成装置、管理サーバ、ユーザ端末、およびこれらと通信可能な転送サーバを提供することにある。
【課題を解決するための手段】
【００１０】
本発明の一態様に係る転送サーバは、ユーザ端末および写真シール作成装置と近距離無線通信可能な転送サーバであって、上記写真シール作成装置から、上記写真シール作成装置で生成されたユーザの画像のデータまたは上記画像のデータを暗号化した暗号化画像データと、上記画像を特定する画像特定情報とを受信する第１通信手段と、ネットワークを介して、上記暗号化画像データを復号するための復号キーと上記画像特定情報とを、管理サーバに送信する第２通信手段と、上記ユーザ端末から、上記画像特定情報を受信する第３通信手段とを備え、上記第３通信手段は、上記ユーザ端末から受信した上記画像特定情報に対応する上記暗号化画像データを、該ユーザ端末に送信することを特徴とする。
【００１１】
上記の構成によれば、ユーザ端末は、画像を表示するために、暗号化画像データを復号する必要がある。そして、暗号化画像データを復号するための復号キーは、転送サーバから管理サーバに送信されている。また、画像特定情報は、ユーザ端末と管理サーバとに送信される。そのため、ユーザ端末は、復号したい暗号化画像データを画像特定情報を用いて管理サーバに通知することができる。管理サーバは、画像特定情報を用いて、復号したい暗号化画像データに対応する復号キーを特定することができる。ユーザ端末は、画像特定情報に対応する復号キーを取得して暗号化画像データを復号することができる。復号キーのデータサイズは、暗号化画像データのデータサイズよりも一般的に小さい。また、写真シール作成装置は、ＰＨＳ等の無線通信網を使用して管理サーバに画像を送信する必要がない。それゆえ、写真シール作成装置の通信の負担を低減することができる。転送サーバは、近距離無線通信によってユーザ端末および写真シール作成装置と通信を行うので、通信費用の負担を抑制することができる。また、転送サーバに、近距離無線通信可能な範囲にある複数の写真シール作成装置の画像を管理させることもできる。また、上記転送サーバを用いれば、ユーザ端末から管理サーバにアクセスさせることにより、管理サーバにおいてユーザへの画像の提供を制御することもできる。
【００１２】
上記第２通信手段は、上記復号キーと上記画像特定情報とを、上記ユーザが所定の会員であるかの認証を行う上記管理サーバに送信する構成であってもよい。
【００１３】
上記の構成によれば、管理サーバにおいて上記ユーザが所定の会員であるか認証が行われる。そのため、管理サーバにおいて、ユーザへの画像の提供を制御することができる。
【００１４】
上記第１通信手段は、上記写真シール作成装置と直接通信を行い、上記第３通信手段は、上記ユーザ端末と直接通信を行う構成であってもよい。
【００１５】
上記の構成によれば、写真シール作成装置は、管理サーバとの通信の負担を低減することができる。転送サーバとユーザ端末との間の通信は直接行われるので、通信費用の負担を抑制することができる。
【００１６】
上記第１通信手段が、上記写真シール作成装置から、上記ユーザの複数の上記画像として第１画像および第２画像を受信した場合、上記第３通信手段は、上記第１画像の上記暗号化画像データを上記ユーザ端末に送信してもよい期間を第１期間とし、上記第２画像の上記暗号化画像データを上記ユーザ端末に送信してもよい期間を上記第１期間とは異なる第２期間とする構成であってもよい。
【００１７】
上記の構成によれば、第１期間において第１画像をユーザに提供し、第２期間において第２画像を提供する。転送サーバは、近距離無線通信によってユーザ端末と通信可能であるので、第１画像および第２画像の両方の提供を希望するユーザは、異なる期間に近距離無線通信可能な範囲に来る必要がある。すなわち、ユーザは写真シール作成装置の近くに来る機会が増えるので、写真シール作成装置の利用を促進することができる。
【００１８】
上記第１期間は、上記第１通信手段が上記写真シール作成装置から上記複数の上記画像を受信した日を含み、上記第２期間は、上記受信した日より後であってもよい。
【００１９】
上記の構成によれば、第２期間はユーザが写真シール作成装置を利用した日より後である。第１画像および第２画像の両方の提供を希望するユーザは、利用した日より後の日に改めて近距離無線通信可能な範囲に来る必要がある。すなわち、ユーザは写真シール作成装置の近くに来る機会（日）が増えるので、写真シール作成装置の利用を促進することができる。
【００２０】
上記第１通信手段が、上記写真シール作成装置から、上記ユーザの複数の上記画像を受信した場合、上記第３通信手段は、第３期間においては、第１個数の上記暗号化画像データを上記ユーザ端末に送信し、上記第３期間と重複しない第４期間においては、上記第１個数より多い第２個数の上記暗号化画像データを上記ユーザ端末に送信する構成であってもよい。
【００２１】
上記の構成によれば、第３期間より第４期間において、多くの画像をユーザに提供する。それゆえ、第４期間における写真シール作成装置の利用を促進することができる。これにより、写真シール作成装置の利用ピークの分散および通信負荷の分散を図ることもできる。
【００２２】
上記第３通信手段は、第１および第２の上記暗号化画像データを、第１および第２の上記ユーザ端末の両方に送信する場合、上記第１の上記ユーザ端末には、上記第１の暗号化画像データまたは上記第１の暗号化画像データを復号した上記画像のデータを上記管理サーバに送信するよう指示し、上記第２の上記ユーザ端末には、上記第２の暗号化画像データまたは上記第２の暗号化画像データを復号した上記画像のデータを上記管理サーバに送信するよう指示する構成であってもよい。
【００２３】
上記の構成によれば、第１および第２のユーザ端末から、分散されて管理サーバに複数の画像が送信される。そのため、第１および第２のユーザ端末の通信の負担を平均化することができる。また、管理サーバはユーザ端末から重複して同じ画像を受け取らなくて済むので、管理サーバの通信の負担も低減される。
【００２４】
本発明の一態様に係る管理サーバは、上記転送サーバと、ネットワークを介して通信可能な管理サーバであって、上記転送サーバから、上記復号キーと上記画像特定情報とを受信する第４通信手段と、上記ユーザ端末から、上記画像特定情報を受信する第５通信手段とを備え、上記第５通信手段は、上記ユーザ端末から受信した上記画像特定情報に対応する上記復号キーを、該ユーザ端末に送信することを特徴とする。
【００２５】
ユーザ端末から受信した画像特定情報に対応する復号キーを、ユーザ端末に送信することができる。それゆえ、複数の暗号化画像データおよび複数の復号キーが存在する場合でも、適切な復号キーをユーザ端末に送信することができる。これにより、ユーザ端末において暗号化画像データを復号させることができる。
【００２６】
上記管理サーバは、上記ユーザが所定の会員であるかの認証を行う認証手段を備え、上記第５通信手段は、上記ユーザが所定の会員である場合、上記復号キーを該ユーザの上記ユーザ端末に送信する構成であってもよい。
【００２７】
上記の構成によれば、管理サーバにおいてユーザが所定の会員であるかの認証を行い、所定の会員であるユーザに復号キーを提供することができる。そのため、管理サーバにおいて、所定の会員であるか否かに応じて、ユーザへの画像の提供を制御することができる。
【００２８】
本発明の一態様に係る写真シール作成装置は、上記転送サーバおよび上記ユーザ端末と近距離無線通信可能な写真シール作成装置であって、撮影により上記ユーザの上記画像を生成する画像生成手段と、上記画像を特定する上記画像特定情報を生成する特定情報生成手段と、上記画像のデータまたは上記画像のデータを暗号化した上記暗号化画像データと、上記画像特定情報とを上記転送サーバに送信する第６通信手段と、上記画像特定情報を上記ユーザの上記ユーザ端末に送信する第７通信手段とを備えることを特徴とする。
【００２９】
上記の構成によれば、写真シール作成装置から近距離無線通信によって転送サーバに画像のデータまたは暗号化画像データが送信される。そのため、写真シール作成装置からネットワークを介して管理サーバに画像のデータを送信する必要がない。それゆえ、写真シール作成装置から管理サーバへの通信の負担を低減することができる。
【００３０】
上記写真シール作成装置は、上記画像のデータを暗号化することにより上記暗号化画像データを生成し、かつ、上記暗号化画像データを復号するための上記復号キーを生成する暗号化手段を備え、上記第６通信手段は、上記暗号化画像データと、上記復号キーと、上記画像特定情報とを上記転送サーバに送信する構成であってもよい。
【００３１】
本発明の一態様に係るユーザ端末は、上記転送サーバおよび上記写真シール作成装置と近距離無線通信可能なユーザ端末であって、上記写真シール作成装置から、上記画像特定情報を受信する第８通信手段と、上記画像特定情報を上記転送サーバに送信し、該画像特定情報に対応する上記暗号化画像データを上記転送サーバから受信する第９通信手段と、上記画像特定情報をネットワークを介して上記管理サーバに送信し、該画像特定情報に対応する上記暗号化画像データを復号するための上記復号キーを上記管理サーバから受信する第１０通信手段とを備えることを特徴とする。
【００３２】
上記の構成によれば、ユーザ端末は、転送サーバから暗号化画像データを取得し、管理サーバから暗号化画像データに対応する復号キーを取得することができる。それゆえ、ユーザ端末は、暗号化画像データを復号して元の画像を得ることができる。
【００３３】
上記第１０通信手段は、上記暗号化画像データ、または上記復号キーによって復号された上記画像のデータを上記管理サーバに送信する構成であってもよい。
【００３４】
上記の構成によれば、ユーザ端末は、画像のデータまたは暗号化画像データを管理サーバに送信する。サーバは復号キーを有しているので、ユーザ端末から暗号化画像データを受け取った場合でもそれを復号することができる。それゆえ、サーバにおいて画像を管理することができる。
【００３５】
本発明の一態様に係る画像管理方法は、管理サーバおよび転送サーバにおける画像管理方法であって、上記管理サーバは、ネットワークを介して上記転送サーバおよびユーザ端末と通信可能であり、上記転送サーバは、上記ユーザ端末および写真シール作成装置と近距離無線通信可能であり、上記転送サーバにおいて、上記写真シール作成装置から、上記写真シール作成装置で生成されたユーザの画像のデータまたは上記画像のデータを暗号化した暗号化画像データと、上記画像を特定する画像特定情報とを受信する第１通信ステップと、上記暗号化画像データを復号するための復号キーと上記画像特定情報とを、上記管理サーバに送信する第２通信ステップと、上記ユーザ端末から、上記画像特定情報を受信する第３通信ステップと、上記ユーザ端末から受信した上記画像特定情報に対応する上記暗号化画像データを、該ユーザ端末に送信する第４通信ステップと、上記管理サーバにおいて、上記ユーザ端末から、上記画像特定情報を受信する第５通信ステップと、上記ユーザ端末から受信した上記画像特定情報に対応する上記復号キーを、該ユーザ端末に送信する第６通信ステップとを含むことを特徴とする。
【００３６】
本発明の一態様に係るユーザ端末の制御方法は、写真シール作成装置から、上記写真シール作成装置で生成されたユーザの画像を特定する画像特定情報を受信する第１通信ステップと、上記画像特定情報を、近距離無線通信によって、転送サーバに送信する第２通信ステップと、該画像特定情報に対応する上記画像のデータを暗号化した暗号化画像データを上記転送サーバから受信する第３通信ステップと、上記画像特定情報を、ネットワークを介して、管理サーバに送信する第４通信ステップと、該画像特定情報に対応する上記暗号化画像データを復号するための復号キーを上記管理サーバから受信する第５通信ステップとを含むことを特徴とする。
【００３７】
本発明の各態様に係る装置（ユーザ端末、写真シール作成装置、管理サーバ、および転送サーバ）は、コンピュータによって実現してもよく、この場合には、コンピュータを上記装置が備える各手段として動作させることにより上記装置をコンピュータにて実現させる上記装置の制御プログラム、およびそれを記録したコンピュータ読み取り可能な記録媒体も、本発明の範疇に入る。
【発明の効果】
【００３８】
本発明の一態様によれば、写真シール作成装置からサーバへの通信の負担を低減することができる。
【図面の簡単な説明】
【００３９】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムにおける携帯端末への画像保存に関する一連の処理の流れの一例を示すシーケンス図である。
【図１７】本発明の第１実施形態における携帯端末への画像保存処理時に携帯端末の表示部に表示されるウェブページの一例を示す画面遷移図である。
【図１８】本発明の第１実施形態に係る転送サーバの要部構成を示すブロック図である。
【図１９】本発明の第２実施形態に係る撮影画像管理システムの構成を示す図である。
【図２０】本発明の第２実施形態における高精細画像をユーザに提供する処理の一例を示すシーケンス図である。
【発明を実施するための形態】
【００４０】
〔実施形態１〕
本発明の第１実施形態について、図１〜図１８を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００４１】
（撮影画像管理システム９）
図２は、本発明の第１実施形態に係る撮影画像管理システム９の構成を示す図である。図２に示すように、撮影画像管理システム９（画像管理システム）は、写真シール作成装置１、転送サーバ７、携帯端末６、および管理サーバ４を備えている。
【００４２】
撮影画像管理システム９の概要について、以下に説明する。撮影画像管理システム９は、ユーザの写真撮影、画像の編集、画像の写真シールとしての印刷、および画像提供サイトへの画像の保存を実現するサービスをユーザに提供する。写真撮影、画像編集、および写真シール印刷のサービスは、ゲームセンターなどの店舗（施設）に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００４３】
写真シール作成装置１および転送サーバ７は、比較的近く、例えば、同じ遊戯施設８の中に設置される。それゆえ、写真シール作成装置１および転送サーバ７は、互いに近距離無線通信によって通信が可能である。ここで、近距離無線通信は、近接場型無線通信（Near field communication、非接触通信）、Bluetooth（登録商標）、および無線ＬＡＮ（Wireless local area network）（Wi-Fi（登録商標）を含む）等の近距離の無線通信（ローカル通信）を含む。少なくとも、写真シール作成装置１および転送サーバ７は、互いに近距離無線通信が可能な範囲内に配置される。なお、転送サーバ７は、遊戯施設８内またはその近傍に設置された複数の写真シール作成装置１と、近距離無線通信によって通信が可能である。写真シール作成装置１を利用するユーザの携帯端末６も、遊戯施設８の中にある。遊戯施設８は、例えば、ゲームセンター、ゲームセンターを含む建物または敷地、ショッピングセンター、および遊園地等の施設である。
【００４４】
一方、画像提供サイトおよび会員情報の管理を行う管理サーバ４は、遊戯施設８からインターネットを介して遠く離れた、任意の場所にある。そのため、写真シール作成装置１、転送サーバ７、および携帯端末６は、インターネット（ネットワーク）を介して、管理サーバ４と通信を行う。転送サーバ７は、任意の通信回線を用いてインターネットに接続できればよく、例えば、光通信回線によってインターネットに接続可能である。
【００４５】
画像提供サイトへの画像の保存には、事前の会員登録が必要である。ユーザは、無料会員として自身を画像提供サイトに登録する。無料会員は、会費を支払う必要がないが、画像提供サイトにおいて保存できる画像の枚数に制限を受ける。本実施形態では、無料会員は、一回のゲームごとに一枚の画像のみを画像提供サイトに保存できる。
【００４６】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００４７】
撮影画像管理システム９における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。画像の編集後、ユーザは写真シールを手に入れる。
【００４８】
（標準画像の提供）
写真シール作成装置１は、生成した標準サイズの画像（標準画像）に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００４９】
画像提供サイトへの画像保存後、ユーザは、携帯端末６または所望の他の装置を用いて画像提供サイトにログインして、画像をダウンロードすることができる。
【００５０】
（高精細画像の提供）
特定のユーザは、標準画像よりも高精細な画像（高精細画像）の提供を受けることができる。特定のユーザは、例えば画像提供サイトにおいて有料会員に登録されているユーザである。高精細画像は、標準画像よりも画質が良く、データサイズが大きい。高精細画像は、標準画像とは異なる手順でユーザに提供される。高精細画像の提供方法は、後述する。
【００５１】
（写真シール作成装置の構成）
撮影画像管理システム９を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００５２】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００５３】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００５４】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００５５】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００５６】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００５７】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００５８】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００５９】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００６０】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００６１】
図３に示す編集部１２の構成を正面側の構成とすると、２組のユーザが同時に編集することができるように、編集部１２の正面側と背面側には編集制御に用いられる構成がそれぞれ設けられる。
【００６２】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００６３】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００６４】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００６５】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００６６】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００６７】
（ユーザの移動）
写真シール作成ゲームの流れと、それに伴うユーザの移動について図５を参照して説明する。図５は、ユーザの移動について説明する図である。
【００６８】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００６９】
なお、ユーザの画像の撮影においては、すべての撮影がシール紙に印刷される画像を撮影するものとは限らず、携帯端末６で閲覧するため（又は、携帯端末６において閲覧可能なように、管理サーバ４に送信するため）にのみ撮影される場合もある。これは、印刷される画像と携帯端末６で閲覧される画像との間でユーザの嗜好が異なることがあるためであり、ユーザの撮影時において、携帯端末６での閲覧を意識した撮影をしたいユーザの意向にこたえるものである。
【００７０】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００７１】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００７２】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００７３】
画像の印刷が終了したとき、ユーザは、事後接客部１３に設けられた排出口からシール紙を受け取り、一連の写真シール作成ゲームを終えることになる。
【００７４】
（各部材の構成）
次に、写真シール作成装置１に備えられる各部材の構成について説明する。
【００７５】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００７６】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００７７】
正面パネル４１のほぼ中央には撮影・表示ユニット８１が設けられる。撮影・表示ユニット８１は、カメラ９１、正面ストロボ９２、およびタッチパネルモニタ９３から構成される。
【００７８】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００７９】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００８０】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００８１】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００８２】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００８３】
足元ストロボ８６の右側には、ユーザがお金を投入する硬貨投入返却口８７が設けられる。
【００８４】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００８５】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００８６】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００８７】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００８８】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００８９】
なお、編集部１２において行われる画像の編集は、すべてが印刷される画像に対する編集であるとは限らず、ユーザが携帯端末６での閲覧のみを想定している画像（つまり、印刷されない画像）に対する編集である場合もある。これは、印刷される画像と携帯端末６で閲覧される（ｗｅｂ上で利用される）画像との間で、ユーザの嗜好に違いがあり、例えばブログなどに利用する画像などに対して、印刷される画像に対する編集とは異なる編集をしたいというユーザの意向にこたえるためのものである。
【００９０】
（事後接客部１３）
編集部１２の左側には事後接客部１３が設けられる。図９は、写真シール作成装置１に備えられる事後接客部１３の構成例を示す図である。
【００９１】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００９２】
タブレット内蔵モニタ１６１の下には近距離無線通信部１６３（第７通信手段）が設けられ、近距離無線通信部１６３の下にはシール紙排出口１６４が設けられる。シール紙排出口１６４の下にはスピーカ１６５が設けられる。
【００９３】
近距離無線通信部１６３は、近接された非接触型ＩＣと非接触通信を行い、非接触型ＩＣからのデータの読み出しおよび非接触型ＩＣに対するデータの書き込みを行う。なお、これに限らず、近距離無線通信部１６３は、他の種類の近距離無線通信を行ってもよい。例えば、近距離無線通信部１６３は、Bluetooth通信を用いて、携帯端末６と直接通信を行ってもよい。
【００９４】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００９５】
スピーカ１６５は、事後接客時の案内音声、ＢＧＭ、効果音等の音を出力する。
【００９６】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００９７】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００９８】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００９９】
通信部２０３（第６通信手段）はインターネットなどのネットワークのインタフェースであり、制御部２０１による制御に従って外部の装置と通信を行う。通信部２０３は、無線通信ネットワークを介して、管理サーバ４と通信を行う。
【０１００】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【０１０１】
ＲＯＭ２０６には、制御部２０１において実行されるプログラムおよびデータが記憶されている。ＲＡＭ２０７は、制御部２０１が処理するデータおよびプログラムを一時的に記憶する。
【０１０２】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【０１０３】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【０１０４】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【０１０５】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【０１０６】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【０１０７】
カメラ９１は、制御部２０１による制御に従って撮影を行い、撮影によって得られた画像（画像）を制御部２０１に出力する。
【０１０８】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【０１０９】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【０１１０】
事後接客部１３は、事後接客空間Ａ３における事後接客に関する処理を行う。事後接客部１３は、タブレット内蔵モニタ１６１、タッチペン１６２Ａ、１６２Ｂ、近距離無線通信部１６３、およびスピーカ１６５から構成される。
【０１１１】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【０１１２】
また、印刷部２１１は、印刷制御に係る処理において、シール紙への撮影画像（又は編集画像）の印刷に加え、欄外（シール紙の端部など）に、管理サーバ４へ送信した画像（標準画像）を取得するためのＵＲＬ（Uniform Resource Locater）、及び、シールＩＤ（画像取得用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【０１１３】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【０１１４】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【０１１５】
（制御部の構成）
図１１は、写真シール作成装置１に備えられる制御部２０１の詳細な構成例を示す機能ブロック図である。この図に示すように、制御部２０１は、通信制御部３１１（第６通信手段、第７通信手段）、撮影制御部３１２（画像生成手段）、編集制御部３１３（画像生成手段）、印刷制御部３１４、および事後接客制御部３１５（暗号化手段、特定情報生成手段）を備えている。
【０１１６】
通信制御部３１１は、通信部２０３および近距離無線通信部１６３による外部の装置との通信を制御する。
【０１１７】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像が撮影された日時に関する日時情報を生成することもできる。
【０１１８】
編集制御部３１３は、編集部１２Ａおよび編集部１２Ｂによる画像に対する落書き編集等、写真シール作成ゲームにおけるユーザの編集制御に関する処理を制御する。
【０１１９】
印刷制御部３１４は、印刷部２１１によるシール紙の印刷等、写真シール作成ゲームにおけるユーザの印刷制御に関する処理を制御する。
【０１２０】
事後接客制御部３１５は、事後接客部１３による、編集作業を終了したユーザグループを接客する処理等、写真シール作成ゲームにおける事後接客に関する処理を制御する。
【０１２１】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３（第４通信手段、第５通信手段）は、撮影画像管理システム９を構成する他の装置と通信する。
【０１２２】
（制御部４０１の詳細）
図１に示すように、制御部４０１は、通信制御部４１１（第４通信手段、第５通信手段）、メール作成部４１２、ウェブページ作成部４１３、画像管理部４１４（画像管理手段）、および認証部４１５（認証手段）を備えている。
【０１２３】
（通信制御部４１１）
通信制御部４１１は、通信部４０３による通信を制御する。
【０１２４】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１２５】
（ウェブページ作成部４１３）
ウェブページ作成部４１３は、携帯端末６に表示されるウェブページを作成する。本実施形態では、ウェブページ作成部４１３は、ウェブページデータベース４２３に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【０１２６】
なお、以下において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１２７】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１２８】
（認証部４１５）
認証部４１５は、携帯端末６から受け取った認証情報（会員ＩＤおよびパスワード）を会員データベース４２２に照会することにより、ユーザの認証を行う。
【０１２９】
（記憶部４０２の詳細）
図１に示すように、記憶部４０２は、メールデータベース４２１、会員データベース４２２、ウェブページデータベース４２３、および画像データベース４２４を有している。
【０１３０】
（メールデータベース４２１）
メールデータベース４２１は、ユーザに送信するメールを作成するための各種データを格納している。
【０１３１】
（会員データベース４２２）
会員データベース４２２は、画像提供サイトの会員であるユーザに関する各種情報を格納している。本実施形態では、会員データベース４２２には、写真シール作成装置１を利用するユーザを特定する情報（ユーザ特定情報）が、ユーザ別に格納されている。ユーザ特定情報としては、例えば、ユーザの会員ＩＤ、メールアドレス、ニックネーム、生年月日、住所、会員属性、入会日、および、ユーザが保有する携帯端末の端末ＩＤなどを挙げることができる。また、会員属性としては、例えば、有料会員および無料会員などを挙げることができる。
【０１３２】
（ウェブページデータベース４２３）
ウェブページデータベース４２３は、携帯端末６に表示される画像提供サイトのウェブページを作成するための各種データを格納している。
【０１３３】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１３４】
図示はしないが、記憶部４０２は、写真シール作成装置１から受信した画像などのデータを一時的に保存する一時保存データベースも有している。
【０１３５】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１３６】
（携帯端末６）
図１２は、本発明の実施形態１に係る携帯端末６の要部構成を示すブロック図である。この図に示すように、携帯端末６は、主に、制御部６０１、記憶部６０２、通信部６０３（第８通信手段、第９通信手段、第１０通信手段）、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム９を構成する他の装置と通信する。通信部６０３は、近距離無線通信、および基地局を介した無線通信（インターネット接続）を行うことが可能である。入力部６０４は、タッチパネルなどの、ユーザが携帯端末６に情報を入力するための装置である。表示部６０５は、液晶表示装置などの、情報を表示するための装置である。
【０１３７】
（制御部６０１の詳細）
図１２に示すように、制御部６０１は、通信制御部６１１（第８通信手段、第９通信手段、第１０通信手段）、入力制御部６１２、および表示制御部６１３を備えている。
【０１３８】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１３９】
（転送サーバ７）
図１８は、転送サーバ７の要部構成を示すブロック図である。この図に示すように、転送サーバ７は、主に、制御部７０１、記憶部７０２、インターネット通信部７０３（第２通信手段）、および近距離無線通信部７０４（第１通信手段、第３通信手段）を備える。
【０１４０】
記憶部７０２は、転送サーバ７において使用される各種データを記憶する。インターネット通信部７０３は、インターネットを介して、管理サーバ４と通信を行う。近距離無線通信部７０４は、近距離無線通信によって、写真シール作成装置１および携帯端末６と通信を行う。
【０１４１】
制御部７０１は、転送サーバ７に備えられる各部材を統括制御する。制御部７０１は、通信制御部７１１（第１通信手段、第２通信手段、第３通信手段）、および転送管理部７１２を備える。
【０１４２】
（通信制御部７１１）
通信制御部７１１は、インターネット通信部７０３および近距離無線通信部７０４による通信を制御する。
【０１４３】
（転送管理部７１２）
転送管理部７１２は、画像等のデータを保存または転送するために、記憶部７０２に対して画像等のデータの書き込み／読み出しを行う。
【０１４４】
（会員登録処理）
撮影画像管理システム９では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１４５】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１４６】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１４７】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１４８】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１４９】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１５０】
この要求を受けて、管理サーバ４は、無料会員登録を完了させる。具体的には、管理サーバ４が、会員データベース４２２にユーザ用のアカウント領域（会員固有のデータを保存する記憶領域）を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１５１】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１５２】
（サービスの流れ）
次に、撮影画像管理システム９によって提供されるサービスの流れの詳細について、図１４および図１５を参照して以下に説明する。図１４は、撮影画像管理システム９における写真撮影から画像保存までの一連の処理の流れの一例を示すシーケンス図である。
【０１５３】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１５４】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１５５】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１５６】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１５７】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１５８】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１５９】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１６０】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて画像（編集済みの画像を含む）を管理サーバ４または携帯端末６に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。
【０１６１】
また、事後接客制御部３１５は、高精細画像の提供を希望するか否かをユーザに選択させる選択画面をタブレット内蔵モニタ１６１に表示させる。ユーザが高精細画像の提供を希望した場合、事後接客制御部３１５は、標準画像に加えて、高精細画像をユーザに提供するための処理を行う。例えば、標準画像は、画像のデータのサイズが所定値未満の画像であり、高精細画像は、画像のデータのサイズが所定値以上の画像である。高精細画像を提供する処理の詳細については後述する。以下では、標準画像をユーザに提供する処理について説明する。
【０１６２】
（画像送信）
通信制御部３１１は、入力されたメールアドレスおよび選択された画像（標準画像）もしくは制御部２０１が送信対象と決定した画像を、通信部２０３を通じて管理サーバ４に送信する（ステップＳ６）。このとき送信される画像には、当該画像を一義的に特定するための識別子（画像ＩＤ）が関連付けられている。写真シール作成装置１から送信されたメールアドレス、画像（標準画像）、および画像ＩＤを、管理サーバ４の通信部４０３が受信し（ステップＳ７）、通信制御部４１１に出力する。通信制御部４１１は、受信した画像を、記憶部４０２の図示しない一時保存データベースに保存する。保存された画像などのデータは、規定の期限が経過するまで一時保存データベースに格納され続け、期限が経過すると自動的に一時保存データベースから削除される。
【０１６３】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０１６４】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０１６５】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１６６】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０１６７】
（画像保存用ウェブページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。
【０１６８】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１６９】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０１７０】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０１７１】
図１５（ｃ）に示すように、ウェブページ１１０７は、一つのサムネイル画像１１０４、および、全ての画像を保存するためのリンク画像１１０８を含んでいる。
【０１７２】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０１７３】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０１７４】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１５）。
【０１７５】
送信された保存指示を、通信制御部４１１が通信部４０３を通じて受信する（ステップＳ１６）。これにより通信制御部４１１は、画像の保存を画像管理部４１４に指示する。画像管理部４１４は、この指示を受けて、一時保存データベースに格納されているユーザの画像を、ユーザの会員ＩＤに関連付けて画像データベース４２４に保存する（ステップＳ１７）。その際、画像が一枚なら、その画像を保存する。一方、画像が複数枚なら、そのうちのいずれか一つ（たとえばサムネイル画像１１０４に対応する画像）を保存する。これにより、図１４に示す一連の処理は完了する。
【０１７６】
なお、無料会員であるユーザは、全ての画像を保存したい場合、リンク画像１１０５を選択する。この場合、有料会員登録のための一連の処理が撮影画像管理システム９において行われる。そして登録が完了すると、全ての画像がユーザの会員ＩＤに関連付けられて画像データベース４２４に保存される。
【０１７７】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザの画像記憶領域に、全ての画像を保存する。なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０１７８】
（携帯端末６への画像保存）
以下に、画像提供サイトに保存された画像をユーザの携帯端末６に保存する際の処理の流れについて、図１６および図１７を参照して説明する。図１６は、撮影画像管理システム９における携帯端末６への画像保存に関する一連の処理の流れの一例を示すシーケンス図である。図１７は、携帯端末６への画像保存処理時に携帯端末６の表示部６０５に表示されるウェブページの一例を示す画面遷移図である。
【０１７９】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合に、ユーザの会員ＩＤおよびパスワードを入力するためのウェブページを取得してもよい。この場合には、管理サーバ４は、ウェブページにおいて会員ＩＤおよびパスワードの入力を受け付ければよい。
【０１８０】
管理サーバ４の通信制御部４１１は、この要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０１８１】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７（ｂ）に示すような会員トップページ１０３１を生成し、通信制御部４１１に出力する。会員トップページ１０３１は、画像提供サイトに保存されているユーザの画像の一覧を表示するためのリンク画像１０３２を含んでいる。通信制御部４１１は、通信部４０３を通じて会員トップページ１０３１を携帯端末６に送信する（ステップＳ２３）。
【０１８２】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２４）。
【０１８３】
ユーザは、携帯端末６の入力部６０４を操作することによって、リンク画像１０３２を選択する（ステップＳ２５）。入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０１８４】
管理サーバ４の通信制御部４１１は、送信されたリクエストを、通信部４０３を通じて受け付ける（ステップＳ２６）。次に通信制御部４１１は、画像データベース４２４に保存されているユーザの画像の一覧を含む画像一覧ページ１０４１の生成を、ウェブページ作成部４１３に指示する。
【０１８５】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２７）。
【０１８６】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２８）。
【０１８７】
ユーザは、携帯端末６の入力部６０４を操作することによって、表示中のサムネイル画像１０４２のうち、携帯端末６に保存したい画像に対応するサムネイル画像１０４２を選択する（ステップＳ２９）。入力制御部６１２は、この選択操作を受け付けて、サムネイル画像１０４２が選択されたことを通信制御部６１１に通知する。これにより通信制御部６１１は、選択されたサムネイル画像１０４２に対応する画像の提供を求めるリクエストを、通信部６０３を通じて管理サーバ４に送信する。
【０１８８】
管理サーバ４の通信制御部４１１は、通信部４０３を通じて、送信されたリクエストを受信する（ステップＳ３０）。次に通信制御部４１１は、携帯端末６から提供を求められたユーザの画像を通信制御部４１１に出力するように、画像管理部４１４に指示する。
【０１８９】
画像管理部４１４は、指示された画像を画像データベース４２４から取得し、通信制御部４１１に出力する。通信制御部４１１は、通信部４０３を通じて、入力された画像を携帯端末６に送信する（ステップＳ３１）。
【０１９０】
携帯端末６の通信制御部６１１は、通信部６０３を通じて、送信された画像を受信し、記憶部６０２に保存する（ステップＳ３２）。以上により、携帯端末６への画像保存処理が完了する。
【０１９１】
なお、上述の説明では、携帯端末６が画像提供サイトへログインすることにより画像を取得する構成を例に挙げて説明したが、本実施形態では、シールＩＤを用いて画像を取得することもできる。例えば、携帯端末６は、シール紙に印刷されているＵＲＬ（又は、案内メールに含まれるＵＲＬ）の示すウェブページにアクセスすると共に、ユーザによるシールＩＤの入力操作を受け付けることにより、画像取得用ページにアクセスする。
【０１９２】
このとき、画像取得用ページは、ユーザが有料会員である場合にはシールＩＤにより特定される画像であって１ゲーム中に生成された全ての画像をユーザが選択可能に一覧表示し、ユーザが無料会員である場合にシールＩＤにより特定される全画像のうち１枚の画像のみをユーザが選択可能に一覧表示してもよい。また、画像取得用ページは、ユーザが無料会員である場合には、写真シール作成装置１において予め選択されている１枚の画像のみを表示してもよい。なお、画像取得用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０１９３】
携帯端末６は、画像取得用ページにおいて一覧表示されている画像のうち、ユーザにより選択された画像を管理サーバ４から取得し、記憶部６０２に保存する。なお、ユーザが有料会員である場合には、携帯端末６は、画像取得用ページにおいて一覧表示されている画像に対するユーザの選択操作を受け付けることなく、一覧表示されている全ての画像を管理サーバ４から取得し、記憶部６０２に保存してもよい。
【０１９４】
（高精細画像の提供）
以下に、高精細画像をユーザに提供する処理について説明する。
【０１９５】
図２を参照して、撮影画像管理システム９において高精細画像をユーザの携帯端末６へ提供する方法について説明する。
【０１９６】
なお、携帯端末６には、写真シール作成装置１、転送サーバ７、および管理サーバ４と連携動作を行うための会員アプリケーションがインストールされているとする。会員アプリケーションは、例えば画像提供サイトから携帯端末６にダウンロードすることができる。会員アプリケーションは、携帯端末６上で動作するアプリケーションであり、過去に入力された認証のための認証情報（ユーザの会員ＩＤ、およびパスワード等）を記憶している。会員アプリケーションは、ユーザの指示を必要としない処理（送受信、復号等の処理）を自動で行う。なお、以下では、携帯端末６上における会員アプリケーションの動作を、携帯端末６の制御部６０１の動作として説明する。
【０１９７】
（Ａ）画像の編集後、事後接客において、ユーザが高精細画像の提供を希望した場合、写真シール作成装置１の事後接客制御部３１５は、高精細画像のデータを所定の暗号化方式で暗号化することにより、暗号化画像データを生成する。暗号化に用いる暗号キーは任意でよい。また、事後接客制御部３１５は、暗号化画像データを復号するための復号キーも生成する。共通鍵暗号方式では、暗号キーと復号キーとは同じである。また、事後接客制御部３１５は、暗号化画像データを一義的に特定する画像ＩＤ（画像特定情報）を生成する。複数の高精細画像をユーザに提供する場合、事後接客制御部３１５は、複数の暗号化画像データと、複数の暗号化画像データに対応する、複数の復号キーおよび複数の画像ＩＤとを生成する。なお、事後接客制御部３１５は、複数の画像を同じ暗号キーによって暗号化し、複数の暗号化画像データと、複数の暗号化画像データに対応する、１つの復号キーおよび１つの画像ＩＤとを生成してもよい。複数の暗号化画像データに対応する１つの画像ＩＤとして、１ゲーム毎に生成されるシールＩＤを代用することができる。
【０１９８】
事後接客制御部３１５は、タブレット内蔵モニタ１６１に、携帯端末６を通信可能な状態にするようユーザに促す画面を表示する。
【０１９９】
ユーザは、携帯端末６上で動作する会員アプリケーションを操作することにより、携帯端末６を近距離無線通信が可能な状態にするよう指示する。通信制御部６１１は、通信部６０３を近距離無線通信が可能な状態にする。
【０２００】
（Ｂ）事後接客において、写真シール作成装置１の通信制御部３１１は、生成した暗号化画像データを特定する画像ＩＤと、転送サーバ７を特定するサーバＩＤとを関連付けて、近距離無線通信によって直接ユーザの携帯端末６に送信する。ゲームをプレイしたユーザは写真シール作成装置１の近くにいるため、写真シール作成装置１は、近距離無線通信部１６３を介した近距離無線通信（例えば非接触通信または無線ＬＡＮ）によって、ユーザの携帯端末６と直接通信を行うことができる。
【０２０１】
（Ｃ）一方、写真シール作成装置１の通信制御部３１１は、生成した暗号化画像データと、該暗号化画像データを復号するための復号キーと、該暗号化画像データに対応する画像ＩＤとを関連付けて、近距離無線通信（例えば無線ＬＡＮ）によって転送サーバ７に送信する。
【０２０２】
（Ｄ）転送サーバ７の通信制御部７１１は、暗号化画像データを復号するための復号キーと画像ＩＤとを関連付けて、インターネットを介して、遠方に設置された管理サーバ４に送信する。また、転送サーバ７の通信制御部７１１は、暗号化画像データおよび画像ＩＤを転送管理部７１２に出力する。転送管理部７１２は、暗号化画像データおよび画像ＩＤを互いに関連付けて記憶部７０２に記憶させる。
【０２０３】
管理サーバ４は、通常、写真シール作成装置１とは離れた場所に設置され、複数の遊戯施設に設置された複数の写真シール作成装置１から受信したデータを統括管理する。管理サーバ４の通信制御部４１１は、復号キーおよび対応する画像ＩＤを画像管理部４１４に出力する。画像管理部４１４は、復号キーおよび対応する画像ＩＤを互いに関連付けて画像データベース４２４に記憶させる。
【０２０４】
（Ｅ）画像ＩＤとサーバＩＤとを受け取った携帯端末６の通信制御部６１１は、画像ＩＤを、近距離無線通信によって、サーバＩＤによって特定される転送サーバ７に送信することにより暗号化画像データを要求（リクエスト）する。サーバＩＤは、近距離無線通信における通信対象である転送サーバ７を特定するための情報である。
【０２０５】
（Ｆ）転送サーバ７の通信制御部７１１は、携帯端末６から受け取った画像ＩＤを転送管理部７１２に出力する。転送管理部７１２は、画像ＩＤに対応する暗号化画像データを記憶部７０２から取得し、通信制御部７１１に出力する。通信制御部７１１は、携帯端末６から受け取った画像ＩＤに対応する暗号化画像データを、近距離無線通信によって、携帯端末６に送信する。ここで、画像ＩＤは、所定の方式で暗号化された文字列であってよく、他の画像ＩＤから容易に類推できない文字列であることが好ましい。画像ＩＤは、ユーザの暗号化画像データを該ユーザだけに提供するためのパスワードのような役割も持つ。
【０２０６】
携帯端末６の通信制御部６１１は、転送サーバ７から受信した暗号化画像データを、記憶部６０２に記憶させる。携帯端末６は、暗号化画像データのままでは画像を表示することはできない。
【０２０７】
（Ｇ）また、携帯端末６の通信制御部６１１は、基地局またはアクセスポイントとインターネットとを介して、画像ＩＤを管理サーバ４に送信する。同時に、携帯端末６は、ユーザの会員ＩＤおよびパスワードを管理サーバ４に送信する。これにより、携帯端末６は、対応する復号キーの送信を管理サーバ４に要求する。
【０２０８】
（Ｈ）管理サーバ４は、会員ＩＤおよびパスワードによってユーザが所定の会員であるか否かの認証を行う。認証が成功すると、管理サーバ４は、携帯端末６から受け取った画像ＩＤに対応する復号キーを携帯端末６に送信する。なお、認証が失敗した場合、管理サーバ４は、携帯端末６に復号キーを送信しない。
【０２０９】
（Ｉ）携帯端末６は、受け取った復号キーを用いて、暗号化画像データを復号することにより、元の画像（高精細画像）を得る。ユーザは、携帯端末６に画像を表示させて画像を確認することができる。
【０２１０】
（Ｊ）携帯端末６の通信制御部６１１は、任意のタイミングで、基地局またはアクセスポイントとインターネットとを介して、管理サーバ４に復号された高精細画像のデータを送信する。この場合、転送サーバ７は、インターネットを介して高精細画像のデータを管理サーバ４に送信しなくてもよい。管理サーバ４の画像管理部４１４は、画像データベース４２４に高精細画像のデータを保存する。ユーザは、携帯端末６または他の装置を用いて、管理サーバ４が管理する画像提供サイトにログインすることにより、所望の時に該ユーザの画像を閲覧（取得）することができる。ユーザは携帯端末６に画像を残しておく必要がないので、携帯端末６の記憶容量を効率的に使用することができる。
【０２１１】
本実施形態では、写真シール作成装置１は、転送サーバ７を介して近距離無線通信によって、暗号化画像データを携帯端末６に送信する。転送サーバ７は、写真シール作成装置１および携帯端末６と直接通信を行うため、近距離無線通信には通信料金が不要である。また、携帯端末６が管理サーバ４に高精細画像のデータを送信するので、転送サーバ７は、データサイズが大きい高精細画像のデータを、インターネットを介して管理サーバ４に送信する必要がない。そのため、転送サーバ７の通信の負荷を低減することができる。
【０２１２】
また、携帯端末６は、インターネットを介して画像を管理サーバ４に送信する。ユーザは、自宅での無線ＬＡＮの構築または携帯端末会社との契約により、一般的に携帯端末６のインターネット接続を無制限に行うことができる環境を有していることが多い。そのため、画像を管理サーバ４に送信することによる、ユーザが負担する通信料金の増加はほぼ無いことが多い。
【０２１３】
管理サーバ４は、所定の会員として認証されたユーザの携帯端末６に復号キーを送信する。そのため、暗号化画像データを復号して元の画像を携帯端末６に表示させるためには、ユーザは会員登録をする必要がある。これにより、管理サーバ４は、所定の会員にのみ画像を携帯端末６で表示できるサービスを提供することができる。
【０２１４】
管理サーバ４は、携帯端末６から画像を受け取り、データベースにおいて画像を保存することができる。そのため、管理サーバ４は、会員であるユーザの画像を管理することができる。これにより、管理サーバ４は、画像提供サイトにおけるサービスをユーザに提供することができる。
【０２１５】
また、管理サーバ４においてユーザの認証がされなければユーザは高精細画像を見ることができないので、管理サーバ４は、会員情報に基づいて画像閲覧を一元的に制御することができる。
【０２１６】
なお、管理サーバ４への高精細画像のデータの送信は、転送サーバ７から行われてもよい。転送サーバ７は、ユーザが出入りする遊戯エリアに設置される写真シール作成装置１とは異なり、ユーザが出入りしない事務室等に配置することができる。そのため、転送サーバ７は、ＰＨＳのような無線通信ネットワークを利用する必要が無く、光通信回線（有線）等の任意の通信回線を利用することができる。インターネットでの通信には、一般的に通信料金が必要になるが、ＰＨＳのような無線通信ネットワークを利用する場合に比べて、通信料金を低減することができる。
【０２１７】
なお、画像の暗号化および復号キーの生成は、写真シール作成装置１ではなく転送サーバ７において行われてもよい。この場合、写真シール作成装置１は、暗号化されていない画像およびそれに対応する画像ＩＤを転送サーバ７に送信すればよい。
【０２１８】
なお、携帯端末６は、高精細画像のデータを管理サーバ４に送信する代わりに、暗号化画像データおよび画像ＩＤを管理サーバ４に送信してもよい。管理サーバ４は、画像ＩＤに対応する復号キーを有しているので、受信した暗号化画像データを復号することができる。それゆえ、管理サーバ４は、復号された高精細画像を画像データベース４２４に記憶させることができる。また、携帯端末６は、自身で復号を行わずに、管理サーバ４で復号された高精細画像を、管理サーバ４から取得してもよい。この場合、携帯端末６は、復号キーを受信する必要は無く、画像ＩＤ等に加えて暗号化画像データを管理サーバ４に送信する。
【０２１９】
以上では、高精細画像のデータのみを暗号化して転送サーバ７から携帯端末６に送信する形態について説明した。これに限らず、標準画像をも暗号化して転送サーバ７から携帯端末６に送信してもよい。その場合、写真シール作成装置１または転送サーバ７から管理サーバ４へ画像を送る必要がないので、写真シール作成装置１または転送サーバ７から管理サーバ４への通信量をさらに低減することができる。
【０２２０】
なお、携帯端末６は、記憶容量が許す限り、まだ復号していない暗号化画像データを記憶部６０２に保存していてもよい。例えば、無料会員は、写真シール作成装置１の利用から所定期間内に暗号化画像データを復号することができるとしてもよい。例えば、管理サーバ４に保存された復号キーに有効期限を設定し、管理サーバ４は、所定期間（有効期限）内であれば無料会員に復号キーを送信してもよい。所定期間経過後に無料会員のユーザから復号キーの要求があった場合、管理サーバ４は、追加料金の支払いまたは有料会員への入会を条件として、ユーザに復号キーを送信してもよい。
【０２２１】
なお、携帯端末６の会員アプリケーションは、復号された高精細画像を他のユーザの携帯端末６に転送させないようにしてもよい。これは、例えば携帯端末６において、暗号化画像データおよび復号キーを保存しておき、高精細画像を表示させる時だけ暗号化画像データを復号して表示し、表示が終わると高精細画像のデータを削除することで実現できる。携帯端末６は、近距離無線通信によって、会員アプリケーションがインストールされた他のユーザの携帯端末６に暗号化画像データおよび画像ＩＤを送信してもよい。暗号化画像データを受け取った他のユーザの携帯端末６で高精細画像を表示する場合、管理サーバ４は、追加料金の支払いまたは有料会員への入会を条件として、当該他のユーザに復号キーを送信する。
【０２２２】
（分散アップロード）
また、写真シール作成装置１が、写真シール作成装置１を一緒に利用した複数のユーザ（第１ユーザ、第２ユーザ）に、複数の画像に対応する複数の画像ＩＤを送信した場合、通信負荷を分散させるため、複数のユーザの携帯端末６から、複数の画像を相補的に管理サーバ４に送信させる。具体的な処理について以下に説明する。
【０２２３】
写真シール作成装置１は、複数の画像（暗号化画像データ）を生成する。また、写真シール作成装置１は、複数の画像に対応する、複数の画像ＩＤを生成する。写真シール作成装置１の通信制御部３１１は、複数の画像ＩＤを、第１ユーザおよび第２ユーザの携帯端末６の両方に送信する。
【０２２４】
また、写真シール作成装置１の通信制御部３１１は、複数の暗号化画像データおよび複数の画像ＩＤを、転送サーバ７に送信する。このとき、通信制御部３１１は、１回のゲームにおいて生成された複数の画像ＩＤを２人のユーザの両方に送信したことを、転送サーバ７に通知する。
【０２２５】
転送サーバ７は、１回のゲームにおいて生成された複数の暗号化画像データをユーザの数（２人）に合わせて２つのグループに分ける。第１ユーザおよび第２ユーザの携帯端末６が複数の画像ＩＤを転送サーバ７に通知して複数の暗号化画像データを要求すると、転送サーバ７の通信制御部７１１は、画像ＩＤに対応する複数の暗号化画像データを第１ユーザの携帯端末６に送信する。また、通信制御部７１１は、第１ユーザの携帯端末６に、後に復号される複数の画像のうちの一部（一方のグループ）の画像について、該画像を管理サーバ４に送信（アップロード）するよう指示する。一方、通信制御部７１１は、第２ユーザの携帯端末６には、複数の画像のうちのその他（他方のグループ）の画像について、該画像を管理サーバ４に送信（アップロード）するよう指示する。
【０２２６】
第１ユーザおよび第２ユーザの携帯端末６は、複数の暗号化画像データを受信した後、それらを復号することにより元の複数の画像を生成し、それぞれが指示された画像を管理サーバ４に送信する。これにより、携帯端末６および管理サーバ４の通信の負荷を低減（分散）することができる。
【０２２７】
（転送画像数の制限例１）
以上では、転送サーバ７から携帯端末６に送信される画像数には特に制限がないとしたが、転送サーバ７から携帯端末６に送信される画像数に制限を設けてもよい。
【０２２８】
例えば、転送サーバ７の転送管理部７１２は、第１期間においては、１回のゲームにおいて生成された複数の暗号化画像データのうち、一部の暗号化画像データの携帯端末６への送信を許可する。一方、転送管理部７１２は、第２期間においては、１回のゲームにおいて生成された複数の暗号化画像データのうち、他の暗号化画像データの携帯端末６への送信を許可する。第１期間および第２期間は、互いに異なる期間であるが、重なる期間があってもよい。例えば、第１期間は、ゲームがプレイされた日（写真シール作成装置１から画像を受け取った日）を含む、１週間の期間であり、第２期間は、ゲームがプレイされた日より後の日（翌日）からの１週間の期間であるとしてもよい。
【０２２９】
これによれば、ユーザは、写真シール作成装置１を利用した日に転送サーバ７から１個の暗号化画像データを携帯端末６に取得することができ、その次の日に、さらにもう１個の追加サービスの暗号化画像データを携帯端末６に取得することができる。またさらに次の日以降に、さらなる暗号化画像データを取得できるようにしてもよい。転送サーバ７は、近距離無線通信によって携帯端末６に暗号化画像データを送信するので、追加サービスの暗号化画像データの取得を希望するユーザは、ゲームをプレイした翌日以降に、近距離無線通信可能な範囲まで来る必要がある。それゆえ、遊戯施設８へ来店する動機をユーザに与えることができる。
【０２３０】
なお、この場合でも、ユーザが特定の会員（例えば有料会員）であれば、生成された全ての画像を画像提供サイト（管理サーバ４）においてユーザに提供してもよい。
【０２３１】
（転送画像数の制限例２）
また、例えば、転送サーバ７の転送管理部７１２は、第３期間においては、１回のゲームにおいて生成された複数の暗号化画像データのうち、第１個数（例えば３個）の暗号化画像データの携帯端末６への送信を許可する。一方、転送管理部７１２は、第４期間においては、１回のゲームにおいて生成された複数の暗号化画像データのうち、第２個数（例えば１個）の暗号化画像データの携帯端末６への送信を許可する。第３期間および第４期間は、互いに重複しない期間である。例えば、１日のうちの午前を第３期間とし、午後を第４期間としてもよい。
【０２３２】
一般的に、写真シール作成装置１の利用は午後の特定の時間帯に行われることが多い。上記の構成によれば、転送管理部７１２は、時間帯に応じて、異なる数の暗号化画像データの携帯端末６への送信を許可する。午前中に写真シール作成装置１を利用すると、ユーザは多くの暗号化画像データを携帯端末６に取得することができるので、利用密度の低い時間帯の写真シール作成装置１の利用を促進することができる。それゆえ、写真シール作成装置１の利用ピークの分散および負荷の分散が期待できる。
【０２３３】
また、転送管理部７１２は、日に応じて、異なる数の暗号化画像データの携帯端末６への送信を許可してもよい。例えば、転送管理部７１２は、月曜日から金曜日（第４期間）と、土曜日から日曜日（第３期間）とで、携帯端末６が取得できる画像数を異ならせてもよい。転送管理部７１２は、一般的に利用の多い週末（土曜日から日曜日）においては、例えば１個の暗号化画像データをユーザ端末に送信させ、一般的に利用の少ない平日（月曜日から金曜日）においては、例えば３個の暗号化画像データをユーザ端末に送信させてもよい。これにより、一般的に利用の少ない平日の、写真シール作成装置１の利用を促進することができる。また、写真シール作成装置１の利用ピークの分散および負荷の分散が期待できる。
【０２３４】
なお、この場合でも、ユーザが特定の会員（例えば有料会員）であれば、生成された全ての画像を画像提供サイト（管理サーバ４）においてユーザに提供してもよい。
【０２３５】
なお、転送サーバ７は、写真シール作成装置１から送信される暗号化画像データの数に基づいて、写真シール作成装置１または転送サーバ７（画像取得）の混雑状況の情報を生成してもよい。転送サーバ７は、混雑状況の情報を近くの携帯端末６に送信してもよいし、管理サーバ４に送信してもよい。管理サーバ４は、ユーザのメールアドレス宛に、混雑状況の情報を通知するメールを送信してもよい。
【０２３６】
〔実施形態２〕
本発明の他の実施形態について説明する。なお、説明の便宜上、実施形態１にて説明した図面と同じ機能を有する部材・構成については、同じ符号を付記し、その詳細な説明を省略する。本実施形態では、写真シール作成装置１は、直接ユーザの携帯端末６に暗号化画像データを送信する。
【０２３７】
図１９は、本実施形態に係る撮影画像管理システム１０の構成を示す図である。図１９に示すように、撮影画像管理システム１０（画像管理システム）は、写真シール作成装置１、携帯端末６、および管理サーバ４を備えている。
【０２３８】
（撮影画像管理システム１０における処理の概要）
（Ａ）画像編集の後、写真シール作成装置１は、生成した画像（編集済み画像）を暗号化した暗号化画像データを生成する。写真シール作成装置１は、暗号化画像データと暗号化画像データを特定するための画像ＩＤ（画像特定情報）とを近距離無線通信によって直接ユーザの携帯端末６に送信する。ゲームをプレイしたユーザは写真シール作成装置１の近くにいるため、写真シール作成装置１は、近距離無線通信によって、ユーザの携帯端末６と直接通信を行うことができる。
【０２３９】
（Ｂ）一方、写真シール作成装置１は、暗号化画像データを復号するための復号キーと画像ＩＤとを関連付けて、無線通信ネットワークを介して、遠方に設置された管理サーバ４に送信する。無線通信ネットワークは、例えばＰＨＳ（Personal Handyphone System）等の無線通信ネットワークであり、インターネットに接続するための通信網である。管理サーバ４は、通常、写真シール作成装置１とは離れた場所に設置され、複数の遊戯施設に設置された複数の写真シール作成装置１から受信したデータを統括管理する。
【０２４０】
（Ｃ）暗号化画像データと画像ＩＤとを受け取った携帯端末６は、基地局またはアクセスポイントとインターネットとを介して、画像ＩＤを管理サーバ４に送信する。同時に、携帯端末６は、ユーザの会員ＩＤおよびパスワードを管理サーバ４に送信する。これにより、携帯端末６は、対応する復号キーの送信を管理サーバ４に要求する。
【０２４１】
（Ｄ）管理サーバ４は、会員ＩＤおよびパスワードによってユーザが所定の会員であるか否かの認証を行う。認証が成功すると、管理サーバ４は、携帯端末６から受け取った画像ＩＤに対応する復号キーを携帯端末６に送信する。なお、認証が失敗した場合、管理サーバ４は、携帯端末６に復号キーを送信しない。
【０２４２】
（Ｅ）携帯端末６は、受け取った復号キーを用いて、暗号化画像データを復号することにより、元の画像（高精細画像）を得る。ユーザは、携帯端末６に画像を表示させて画像を確認することができる。
【０２４３】
（Ｆ）携帯端末６は、復号された元の画像を、管理サーバ４に送信する。管理サーバ４は、データベースに画像を保存する。ユーザは、携帯端末６または他の装置を用いて、管理サーバ４が管理する画像提供サイトにログインすることにより、所望の時に画像を閲覧（取得）することができる。ユーザは携帯端末６に画像を残しておく必要がないので、携帯端末６の記憶容量を効率的に使用することができる。
【０２４４】
本実施形態では、写真シール作成装置１は、近距離無線通信によって暗号化画像データを携帯端末６に送信する。携帯端末と直接通信を行うため、近距離無線通信には通信料金が不要である。また、写真シール作成装置１は、無線通信ネットワークを介して、復号キーおよび画像ＩＤを管理サーバ４に送信する。無線通信ネットワークでの通信には、一般的に通信料金が必要になるが、復号キーおよび画像ＩＤは画像に比べて格段にデータサイズが小さい。それゆえ、無線通信ネットワークの使用に関する通信料金を低減することができる。
【０２４５】
（高精細画像の提供処理の詳細）
以下に、高精細画像をユーザに提供する処理について説明する。図２０は、撮影画像管理システム１０における高精細画像をユーザに提供する処理の一例を示すシーケンス図である。
【０２４６】
事後接客において、ユーザが高精細画像の提供を希望した場合、事後接客制御部３１５は、高精細画像のデータを所定の暗号化方式で暗号化することにより、暗号化画像データを生成する（Ｓ４１）。また、事後接客制御部３１５は、暗号化画像データを一義的に特定する画像ＩＤ（画像特定情報）を生成する。複数の高精細画像をユーザに提供する場合、事後接客制御部３１５は、複数の暗号化画像データと、複数の暗号化画像データに対応する、複数の復号キーおよび複数の画像ＩＤとを生成する。
【０２４７】
写真シール作成装置１の通信制御部３１１は、近距離無線通信部１６３を介して（近距離無線通信によって）、暗号化画像データ、および対応する画像ＩＤを携帯端末６に送信する（Ｓ４２）。なお、写真シール作成装置１は、さらに、高精細画像を表すサムネイル画像（データサイズが所定値より小さい画像）を携帯端末６に送信してもよい。通信が遅延する場合、写真シール作成装置１は、低解像度画像データ（サムネイル画像）を先に携帯端末６に送信し、後に高精細画像の暗号化画像データを送信してもよい。
【０２４８】
携帯端末６の通信制御部６１１は、通信部６０３を介して（近距離無線通信によって）、暗号化画像データ、および対応する画像ＩＤを写真シール作成装置１から受信する（Ｓ４３）。制御部６０１は、暗号化画像データ、および画像ＩＤを互いに関連付けて記憶部６０２に記憶させる。
【０２４９】
また、写真シール作成装置１の通信制御部３１１は、通信部２０３を介して（無線通信ネットワークを介して）、復号キーおよび対応する画像ＩＤを管理サーバ４に送信する（Ｓ４４）。
【０２５０】
管理サーバ４の通信制御部４１１は、通信部４０３を介して（無線通信ネットワークを介して）、復号キーおよび対応する画像ＩＤを写真シール作成装置１から受信する（Ｓ４５）。通信制御部４１１は、復号キーおよび対応する画像ＩＤを画像管理部４１４に出力する。画像管理部４１４は、復号キーおよび対応する画像ＩＤを互いに関連付けて画像データベース４２４に記憶させる。
【０２５１】
（暗号化画像データの復号）
携帯端末６の通信制御部６１１は、暗号化画像データを受け取った後、所定のタイミングで、通信部６０３を介して（インターネットを介して）、管理サーバ４に画像ＩＤ、会員ＩＤ、およびパスワードを送信する（Ｓ４６）。所定のタイミングは、ユーザが復号したい（表示可能にしたい）高精細画像を選択したタイミングでもよい。例えば、会員アプリケーションが携帯端末６に高精細画像のサムネイル画像を表示させ、復号する高精細画像をユーザに選択させてもよい。携帯端末６は、ユーザが選択したサムネイル画像に対応する高精細画像の画像ＩＤを、管理サーバ４に送信すればよい。また、所定のタイミングは、写真シール作成装置１から暗号化画像データを受け取ってから所定時間後でもよい。また、携帯端末６の通信制御部６１１は、インターネットへの通信環境を監視し、通信環境がよくなったら（所定の通信速度で通信可能な状態になったら）管理サーバ４に画像ＩＤを送信してもよい。写真シール作成装置１が設置される遊戯施設は、通信環境がよくないことが多いので、上記のように通信のタイミングを決定することで、通信環境が改善されてから管理サーバ４への通信を行うことができる。
【０２５２】
管理サーバ４の通信制御部４１１は、通信部４０３を介して（インターネットを介して）、画像ＩＤ、会員ＩＤ、およびパスワードを携帯端末６から受信する（Ｓ４７）。通信制御部４１１は、画像ＩＤ、会員ＩＤ、およびパスワードを認証部４１５に出力する。
【０２５３】
認証部４１５は、会員ＩＤおよびパスワードを会員データベース４２２に照会し、ユーザが有料会員であるかの認証を行う（Ｓ４８）。認証が成功すると、認証部４１５は、画像管理部４１４に画像ＩＤを出力し、対応する復号キーを携帯端末６に送信するよう指示する。一方、認証が失敗すると、認証部４１５は、携帯端末６に認証が失敗した旨の通知を通信制御部４１１に行わせる。
【０２５４】
認証が成功した場合、画像管理部４１４は、画像データベース４２４を参照し、認証部４１５から受け取った（すなわち携帯端末６から受け取った）画像ＩＤに対応する復号キーを取得する。画像管理部４１４は、通信制御部４１１に復号キーを出力する。通信制御部４１１は、受け取った復号キーを、通信部４０３を介して、携帯端末６に送信する（Ｓ４９）。
【０２５５】
携帯端末６の通信制御部６１１は、通信部６０３を介して、復号キーを管理サーバ４から受信する（Ｓ５０）。制御部６０１は、復号キーを用いて対応する暗号化画像データを復号することにより、復号された元の高精細画像のデータを得る（Ｓ５１）。これにより、携帯端末６は、高精細画像を表示部６０５に表示することができる。
【０２５６】
携帯端末６の通信制御部６１１は、任意のタイミングで、通信部６０３を介して、管理サーバ４に復号された高精細画像のデータを送信する（Ｓ５２）。
【０２５７】
管理サーバ４の通信制御部４１１は、通信部４０３を介して、高精細画像のデータを携帯端末６から受信する（Ｓ５３）。通信制御部４１１は、高精細画像のデータを画像管理部４１４に出力する。画像管理部４１４は、受け取った高精細画像のデータをユーザに関連付けて画像データベース４２４に記憶させる。
【０２５８】
これにより、管理サーバ４は、画像提供サイトにおいて、高精細画像をユーザにいつでも提供することができる。そのため、ユーザは、携帯端末６から高精細画像を削除して記憶部６０２の記憶容量を確保することもでき、また、他の装置から画像提供サイトにログインして高精細画像を取得することができる。
【０２５９】
また、管理サーバ４においてユーザの認証がされなければユーザは高精細画像を見ることができないので、管理サーバ４は、会員情報に基づいて画像閲覧を一元的に制御することができる。
【０２６０】
以上では、高精細画像のデータのみを暗号化して写真シール作成装置１から携帯端末６に送信する形態について説明した。これに限らず、標準画像をも暗号化して写真シール作成装置１から携帯端末６に送信してもよい。その場合、写真シール作成装置１から管理サーバ４へ画像を送る必要がないので、写真シール作成装置１から管理サーバ４への通信量をさらに低減することができる。
【０２６１】
（分散アップロード）
写真シール作成装置１を一緒に利用した複数のユーザ（第１ユーザ、第２ユーザ）がいる場合、その両方の携帯端末６から同じ高精細画像を管理サーバ４に送信（アップロード）する必要は無い。この場合、一方のユーザの携帯端末６から復号された高精細画像を管理サーバ４に送信してもらえば十分である。また、写真シール作成装置１が、写真シール作成装置１を一緒に利用した複数のユーザに、複数の暗号化画像データを送信した場合、通信負荷を分散させるため、複数のユーザの携帯端末６から、複数の復号された高精細画像を相補的に管理サーバ４に送信させる。具体的な処理について以下に説明する。
【０２６２】
写真シール作成装置１は、複数の高精細画像をそれぞれ暗号化することにより、複数の暗号化画像データを生成する。また、写真シール作成装置１は、複数の暗号化画像データに対応する、複数の復号キーおよび複数の画像ＩＤを生成する。写真シール作成装置１の通信制御部３１１は、複数の暗号化画像データおよび複数の画像ＩＤを、第１ユーザおよび第２ユーザの携帯端末６の両方に送信する。
【０２６３】
このとき、通信制御部３１１は、第１ユーザの携帯端末６には、複数の暗号化画像データのうちの一部の暗号化画像データについて、復号した高精細画像のデータを管理サーバ４に送信（アップロード）するよう指示する。一方、通信制御部３１１は、第２ユーザの携帯端末６には、複数の暗号化画像データのうちのその他の暗号化画像データについて、復号した高精細画像のデータを管理サーバ４に送信（アップロード）するよう指示する。
【０２６４】
第１ユーザおよび第２ユーザの携帯端末６は、複数の暗号化画像データを復号した後、それぞれが指示された高精細画像のデータを管理サーバ４に送信する。例えば写真シール作成装置１から各携帯端末６に送信された暗号化画像データが６個だった場合、第１ユーザの携帯端末６は、第１〜第３の高精細画像のデータを管理サーバ４に送信し、第２ユーザの携帯端末６は、第４〜第６の高精細画像のデータを管理サーバ４に送信する。これにより、携帯端末６および管理サーバ４の通信の負荷を低減することができる。
【０２６５】
管理サーバ４は、復号キーを携帯端末６に渡すために、第１ユーザの携帯端末６および第２ユーザの携帯端末６のそれぞれから、各画像の画像ＩＤを受信している。管理サーバ４は、その後第１ユーザの携帯端末６から受信した高精細画像を、対応する画像ＩＤを送ってきた第１ユーザおよび第２ユーザの両方に関連付けて画像データベース４２４に記憶させる。画像データベース４２４は、例えば、各ユーザの画像の情報として上記高精細画像が格納されているファイルパスを記憶している。これにより、同じ高精細画像を重複して画像データベース４２４に記憶させることを防ぎ、記憶容量を効率的に利用することができる。もちろん、標準画像についても、重複しないよう同様に扱ってよい。
【０２６６】
（会員アプリケーションでの画像の閲覧）
携帯端末６での画像（標準画像および高精細画像）の閲覧は、ブラウザを用いる以外に、会員アプリケーションを用いて行うことができる。携帯端末６上で動作する会員アプリケーションは、画像提供サイトからデータを取得し、図１７（ｃ）に示すようなユーザの画像一覧を含む一覧ページ１０４１を、表示部６０５に表示する。会員アプリケーションは、ユーザがサムネイル画像を選択すると、選択されたサムネイル画像に対応する画像（標準画像または高精細画像）のデータを画像提供サイト（管理サーバ４）から取得する。会員アプリケーションは、画像の表示が終了した後も、取得した画像のデータを、記憶部６０２にキャッシュ（保存）しておく。そして、次に同じ画像が選択された場合、会員アプリケーションは、キャッシュしている画像のデータを用いて画像の表示を行う。キャッシュされた画像のデータには有効期限が設定されていてもよい。会員アプリケーションは、有効期限が過ぎた画像のデータを削除してもよい。キャッシュしている画像のデータが参照された（表示に用いられた）場合、会員アプリケーションは、該画像のデータの有効期限を新たに設定する。そのため、頻繁に参照（閲覧）される画像のデータは、記憶部６０２に保存され続ける。なお、会員アプリケーションは、記憶部６０２の記憶容量が許す限り、一度キャッシュした画像のデータを保存し続けてもよい。これにより、管理サーバ４および携帯端末６の通信負荷を低減することができる。
【０２６７】
〔ソフトウェアによる実現例〕
写真シール作成装置１、管理サーバ４、携帯端末６、および転送サーバ７の制御ブロック（特に制御部２０１、制御部４０１、制御部６０１および制御部７０１）は、集積回路（ＩＣチップ）等に形成された論理回路（ハードウェア）によって実現してもよいし、ＣＰＵ（Central Processing Unit）を用いてソフトウェアによって実現してもよい。
【０２６８】
後者の場合、写真シール作成装置１、管理サーバ４、携帯端末６および転送サーバ７は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０２６９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２７０】
本発明は、写真シール作成装置、写真シール作成装置において作成されたユーザの画像を保存する管理サーバ、ならびに、写真シール作成装置および管理サーバと通信を行う携帯端末として、幅広く利用することができる。
【符号の説明】
【０２７１】
１  写真シール作成装置
４  管理サーバ（サーバ）
６  携帯端末
７  転送サーバ
９、１０  撮影画像管理システム（画像管理システム）
１１  撮影ユニット
１２  編集部
１３  事後接客部
２１  撮影部
１６３  近距離無線通信部（第７通信手段）
２０１  制御部
２０３  通信部（第６通信手段）
３１１  通信制御部（第６通信手段、第７通信手段）
３１２  撮影制御部（画像生成手段）
３１３  編集制御部（画像生成手段）
３１４  印刷制御部
３１５  事後接客制御部（暗号化手段、特定情報生成手段）
４０１  制御部
４０２  記憶部
４０３  通信部（第４通信手段、第５通信手段）
４１１  通信制御部（第４通信手段、第５通信手段）
４１２  メール作成部
４１３  ウェブページ作成部
４１４  画像管理部（画像管理手段）
４１５  認証部（認証手段）
６０１  制御部
６０２  記憶部
６０３  通信部（第８通信手段、第９通信手段、第１０通信手段）
６０４  入力部
６０５  表示部
６１１  通信制御部（第８通信手段、第９通信手段、第１０通信手段）
６１２  入力制御部
６１３  表示制御部
７０１    制御部
７０２    記憶部
７０３    インターネット通信部（第２通信手段）
７０４    近距離無線通信部（第１通信手段、第３通信手段）
７１１    通信制御部（第１通信手段、第２通信手段、第３通信手段）
７１２    転送管理部
【図１】
2015184730.tif 000003
【図２】
2015184730.tif 000004
【図３】
2015184730.tif 000005
【図４】
2015184730.tif 000006
【図５】
2015184730.tif 000007
【図６】
2015184730.tif 000008
【図７】
2015184730.tif 000009
【図８】
2015184730.tif 000010
【図９】
2015184730.tif 000011
【図１０】
2015184730.tif 000012
【図１１】
2015184730.tif 000013
【図１２】
2015184730.tif 000014
【図１３】
2015184730.tif 000015
【図１４】
2015184730.tif 000016
【図１５】
2015184730.tif 000017
【図１６】
2015184730.tif 000018
【図１７】
2015184730.tif 000019
【図１８】
2015184730.tif 000020
【図１９】
2015184730.tif 000021
【図２０】
2015184730.tif 000022